(57)【特許請求の範囲】
【請求項１】
第１の設置場所（２）に設置される第１の視聴機（３）および第１の通信モジュール（４）と、
前記第１の設置場所（２）から離れた第２の設置場所（５）に設置される第２の視聴機（６）および第２の通信モジュール（７）と、を備えたリレー視聴システムであって、
前記第１の視聴機（３）は、あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記第２の視聴機（６）に送信し、
前記第２の視聴機（６）は、前記第１の視聴機（３）から前記第１の開始要求データおよび前記第１のチャンネルデータを受信したことに基づいて、前記第１のチャンネルデータが示すチャンネルのテレビ放送の録画を開始すると共に、録画を開始したことを示す第１の開始報告データを、前記第２の通信モジュール（７）および前記第１の通信モジュール（４）を介して前記第１の視聴機（３）に送信し、さらに、ユーザから所定の第２の操作を受けたことに基づいて、前記チャンネルのテレビ放送の録画データを、録画開始位置から再生および表示し始め、
前記第１の視聴機（３）は、前記第２の視聴機（６）から前記第１の開始報告データを受信したことに基づいて、テレビ放送の表示を終了することを特徴とするリレー視聴システム。
【請求項２】
第１の設置場所（２）に設置される第１の視聴機（３）および第１の通信モジュール（４）と、
前記第１の設置場所（２）から離れた第２の設置場所（５）に設置される第２の視聴機（６）および第２の通信モジュール（７）と、を備えたリレー視聴システムであって、
前記第１の視聴機（３）は、あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記第２の視聴機（６）に送信し、
前記第２の視聴機（６）は、前記第１の視聴機（３）から前記第１の開始要求データおよび前記第１のチャンネルデータを受信したことに基づいて、前記第１のチャンネルデータが示すチャンネルのテレビ放送の録画を開始し、さらに、ユーザから所定の第２の操作を受けたことに基づいて、前記チャンネルのテレビ放送の録画データを、録画開始位置から再生および表示し始め、
前記第２の視聴機（６）は更に、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記第１の視聴機（３）に送信すると共に、前記第１の視聴機（３）における前記チャンネルのテレビ放送の録画開始時刻を特定し、特定した前記録画開始時刻に対する前記録画データ中の再生位置の放送時刻の遅れ時間である残り再生時間がなくなるまで、前記チャンネルのテレビ放送の録画データの再生および表示を続け、遅れがなくなると、前記録画データの表示を終了し、
前記第１の視聴機（３）は、前記第２の視聴機（６）から前記第２の開始要求データおよび前記第２のチャンネルデータを受信したことに基づいて、前記第２のチャンネルデータが示すチャンネルのテレビ放送の録画を開始し、さらに、ユーザから所定の第４の操作を受けたことに基づいて、前記チャンネルのテレビ放送の録画データを、録画開始位置から再生および表示し始めることを特徴とするリレー視聴システム。
【請求項３】
前記第２の視聴機（６）は、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記第１の視聴機（３）に送信し、
前記第１の視聴機（３）は、前記第２の視聴機（６）から前記第２の開始要求データおよび前記第２のチャンネルデータを受信したことに基づいて、前記第２のチャンネルデータが示すチャンネルのテレビ放送の録画を開始し、さらに、ユーザから所定の第４の操作を受けたことに基づいて、前記チャンネルのテレビ放送の録画データを、録画開始位置から再生および表示し始めることを特徴とする請求項１に記載のリレー視聴システム。
【請求項４】
前記第２の視聴機（６）は、前記チャンネルのテレビ放送の録画データの再生中、ユー
ザから前記第３の操作を受けたことに基づいて、前記第２の開始要求データおよび前記第
２のチャンネルデータを前記第１の視聴機（３）に送信すると共に、前記第１の視聴機（
３）における前記チャンネルのテレビ放送の録画開始時刻を特定し、特定した前記録画開
始時刻に対する前記録画データ中の再生位置の放送時刻の遅れ時間である残り再生時間が
なくなるまで、前記チャンネルのテレビ放送の録画データの再生および表示を続け、遅れ
がなくなると、前記録画データの表示を終了することを特徴とする請求項３に記載のリレ
ー視聴システム。
【請求項５】
第１の設置場所（２）に設置される第１の通信モジュール（４）および第２の設置場所（５）に設置される第２の通信モジュール（７）を介して、前記第２の設置場所（５）に設置される他の視聴機（６）と通信する視聴機であって、
あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記他の視聴機（６）に送信することで、前記他の視聴機（６）に前記第１のチャンネルデータが示すチャンネルのテレビ放送の録画を開始させると共に、前記他の視聴機（６）が録画を開始したことを示す第１の開始報告データを、前記第２の通信モジュール（７）および前記第１の通信モジュール（４）を介して前記他の視聴機（６）から受信したことに基づいて、テレビ放送の表示を終了することを特徴とする視聴機。
【請求項６】
第１の設置場所（２）に設置される第１の通信モジュール（４）および第２の設置場所（５）に設置される第２の通信モジュール（７）を介して、前記第１の設置場所（２）に設置される他の視聴機（３）と通信する視聴機であって、
前記他の視聴機（３）から録画開始を要求する第１の開始要求データおよび前記他の視聴機（３）が表示しているテレビ放送のチャンネルを示す第１のチャンネルデータを受信したことに基づいて、前記第１のチャンネルデータが示すチャンネルのテレビ放送の録画を開始し、さらに、ユーザから所定の第２の操作を受けたことに基づいて、前記チャンネルのテレビ放送の録画データを、録画開始位置から再生および表示し始め、
更に、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記他の視聴機（３）に送信することで、前記他の視聴機（３）に前記第２のチャンネルデータが示す前記チャンネルのテレビ放送の録画を開始させると共に、前記他の視聴機（３）における前記チャンネルのテレビ放送の録画開始時刻を特定し、特定した前記録画開始時刻に対する前記録画データ中の再生位置の放送時刻の遅れ時間である残り再生時間がなくなるまで、前記チャンネルのテレビ放送の録画データの再生および表示を続け、遅れがなくなると、前記録画データの表示を終了することを特徴とする視聴機。
【発明の詳細な説明】
【技術分野】
【０００１】
本発明は、リレー視聴システムおよび視聴機に関するものである。
【背景技術】
【０００２】
従来、ユーザが第１視聴機でテレビ放送を視聴しているときに、第１視聴機の設置場所から第２視聴機の設置場所に移動するため、第１視聴機による視聴を中止した場合、第１視聴機から第２視聴機に視聴中止時のチャンネルの情報が送信され、第２視聴機は受信した情報に従ってチャネルの受信および表示を開始するようになっている。このようにすることで、ユーザは、受信チャンネルを設定することなく、テレビ放送の視聴を第２視聴機で再開することができる。
【先行技術文献】
【特許文献】
【０００３】
【特許文献１】特開２００９−２０１０６８号公報
【発明の概要】
【発明が解決しようとする課題】
【０００４】
しかし、ユーザが第１視聴機の場所から第２視聴機の場所まで移動するのには時間がかかるので、上記のような技術では、第１視聴機でのユーザが視聴を中止した時間と、第２視聴機でユーザが視聴を再開した時間との間には、タイムギャップが生じてしまう。したがって、ユーザは、このタイムギャップに対応する期間の放送を視聴することができなくなってしまい、このタイムギャップの期間に重要なシーン（例えばサッカー中継のゴールシーン）が入ってしまう恐れもある。
【０００５】
本発明は上記点に鑑み、ユーザが第１視聴機の場所から第２視聴機の場所まで移動してテレビ放送を続けて見る場合でも、移動のタイムギャップによって視聴できなくなってしまうシーンの長さを低減することを目的とする。
【課題を解決するための手段】
【０００６】
上記目的を達成するための請求項１に記載の発明は、第１の設置場所（２）に設置される第１の視聴機（３）および第１の通信モジュール（４）と、前記第１の設置場所（２）から離れた第２の設置場所（５）に設置される第２の視聴機（６）および第２の通信モジュール（７）と、を備えたリレー視聴システムであって、前記第１の視聴機（３）は、あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記第２の視聴機（６）に送信し、前記第２の視聴機（６）は、前記第１の視聴機（３）から前記第１の開始要求データおよび前記第１のチャンネルデータを受信したことに基づいて、前記第１のチャンネルデータが示すチャンネルのテレビ放送の録画を開始し、さらに、ユーザから所定の第２の操作を受けたことに基づいて、前記チャンネルのテレビ放送の録画データを、録画開始位置から再生および表示し始めることを特徴とするリレー視聴システムである。
【０００７】
このようになっていることで、ユーザが第１の視聴機（３）でテレビ放送を見ている途中、何らかの理由で第１の設置場所（２）から第２の設置場所（５）に移動しなければならなくなったとき、ユーザは、第１の視聴機（３）に対して第１の操作を行えば、第１の開始要求データおよび視聴中のチャンネルを示す第１のチャンネルデータが第２の視聴機（６）に送信され、それらを受信した第２の視聴機（６）は、第１のチャンネルデータの示すチャンネルのテレビ放送の録画を開始する。つまり、ユーザが第２の設置場所（５）に入る前から、第２の視聴機（６）で同じチャンネルのテレビ放送の録画が始まる。
【０００８】
そして、ユーザが第１の設置場所（２）から第２の設置場所（５）に移動した後、第２の視聴機（６）に対して第２の操作を行えば、第２の視聴機（６）は、当該チャンネルのテレビ放送の録画データを、録画開始位置から再生および表示し始める。したがって、ユーザは、第２の設置場所（５）で、第２の設置場所（５）に入る前から放送されていた内容も視聴することができる。
【０００９】
したがって、ユーザが第１の設置場所（２）から第２の設置場所（５）まで移動してテレビ放送を続けて見る場合でも、移動のタイムギャップによって視聴できなくなってしまうシーンの長さが低減される。
【００１０】
また、請求項１に記載の発明は、前記第２の視聴機（６）は、前記第１の通信モジュール（４）および前記第２の通信モジュール（７）を介して前記第１の視聴機（３）から前記第１の開始要求データおよび前記第１のチャンネルデータを受信したことに基づいて、前記第１のチャンネルデータが示すチャンネルのテレビ放送の録画を開始すると共に、録画を開始したことを示す第１の開始報告データを、前記第２の通信モジュール（７）および前記第１の通信モジュール（４）を介して前記第１の視聴機（３）に送信し、前記第１の視聴機（３）は、前記第２の視聴機（６）から前記第１の開始報告データを受信したことに基づいて、テレビ放送の表示を終了することを特徴とする。
【００１１】
このようになっていることで、ユーザは、第１の視聴機（３）に対して第１の操作を行った後、第１の視聴機（３）によるテレビ放送の表示が終わる時点まで待っていれば、その後第２の設置場所（５）では、当該表示終了時点の直前のタイミングの放送から視聴できるので、移動のタイムギャップによって視聴できなくなってしまうシーンが完全になくなる。
【００１２】
また、請求項２に記載の発明は、第１の設置場所（２）に設置される第１の視聴機（３）および第１の通信モジュール（４）と、前記第１の設置場所（２）から離れた第２の設置場所（５）に設置される第２の視聴機（６）および第２の通信モジュール（７）と、を備えたリレー視聴システムであって、前記第１の視聴機（３）は、あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記第２の視聴機（６）に送信し、前記第２の視聴機（６）は、前記第１の視聴機（３）から前記第１の開始要求データおよび前記第１のチャンネルデータを受信したことに基づいて、前記第１のチャンネルデータが示すチャンネルのテレビ放送の録画を開始し、さらに、ユーザから所定の第２の操作を受けたことに基づいて、前記チャンネルのテレビ放送の録画データを、録画開始位置から再生および表示し始め、前記第２の視聴機（６）は更に、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記第１の視聴機（３）に送信すると共に、前記第１の視聴機（３）における前記チャンネルのテレビ放送の録画開始時刻を特定し、特定した前記録画開始時刻に対する前記録画データ中の再生位置の放送時刻の遅れ時間である残り再生時間がなくなるまで、前記チャンネルのテレビ放送の録画データの再生および表示を続け、遅れがなくなると、前記録画データの表示を終了し、前記第１の視聴機（３）は、前記第２の視聴機（６）から前記第２の開始要求データおよび前記第２のチャンネルデータを受信したことに基づいて、前記第２のチャンネルデータが示すチャンネルのテレビ放送の録画を開始し、さらに、ユーザから所定の第４の操作を受けたことに基づいて、前記チャンネルのテレビ放送の録画データを、録画開始位置から再生および表示し始めることを特徴とするリレー視聴システムである。
また、請求項３に記載の発明は、請求項１に記載のリレー視聴システムにおいて、前記第２の視聴機（６）は、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記第１の視聴機（３）に送信し、前記第１の視聴機（３）は、前記第２の視聴機（６）から前記第２の開始要求データおよび前記第２のチャンネルデータを受信したことに基づいて、前記第２のチャンネルデータが示すチャンネルのテレビ放送の録画を開始し、さらに、ユーザから所定の第４の操作を受けたことに基づいて、前記チャンネルのテレビ放送の録画データを、録画開始位置から再生および表示し始めることを特徴とする。
【００１３】
このようになっていることで、ユーザが第２の視聴機（６）でテレビ放送を見ている途中、第２の設置場所（５）から第１の設置場所（２）に戻らなければならなくなったとき、ユーザは、第２の視聴機（６）に対して第３の操作を行えば、第２の開始要求データおよび視聴中のチャンネルを示す第２のチャンネルデータが第１の視聴機（３）に送信され、それらを受信した第１の視聴機（３）は、第２のチャンネルデータの示すチャンネルのテレビ放送の録画を開始する。つまり、ユーザが第２の設置場所（５）を離れる前から、第１の視聴機（３）で同じチャンネルのテレビ放送の録画が始まる。
【００１４】
そして、ユーザが第２の設置場所（５）から第１の設置場所（２）に戻った後、第１の視聴機（３）に対して第４の操作を行えば、第１の視聴機（３）は、当該チャンネルのテレビ放送の録画データを、録画開始位置から再生および表示し始める。したがって、ユーザは、第１の設置場所（２）で、第２の設置場所（５）を離れる前から放送されていた内容も視聴することができる。
【００１５】
したがって、ユーザが第１の設置場所（２）から第２の設置場所（５）まで移動し、さらに第２の設置場所（５）から第１の設置場所（２）に戻る間、テレビ放送を続けて見る場合でも、移動のタイムギャップによって視聴できなくなってしまうシーンの長さが低減される。
【００１６】
また、請求項４に記載の発明は、請求項３に記載のリレー視聴システムにおいて、前記第２の視聴機（６）は、前記チャンネルのテレビ放送の録画データの再生中、ユーザから前記第３の操作を受けたことに基づいて、前記第２の開始要求データおよび前記第２のチャンネルデータを前記第１の視聴機（３）に送信すると共に、前記第１の視聴機（３）における前記チャンネルのテレビ放送の録画開始時刻を特定し、特定した前記録画開始時刻に対する前記録画データ中の再生位置の放送時刻の遅れ時間である残り再生時間がなくなるまで、前記チャンネルのテレビ放送の録画データの再生および表示を続け、遅れがなくなると、前記録画データの表示を終了することを特徴とする。
【００１７】
請求項２、４のようになっていることで、第２の視聴機（６）における再生位置が実際のテレビ放送よりも時間的に遅れていたとしても、ユーザは、第２の視聴機（６）における録画データの表示が終了する時点まで待っていれば、その時点以降の当該チャンネルのテレビ放送は、第１の視聴機（３）で録画されていることになる。したがって、移動のタイムギャップによって視聴できなくなってしまうシーンがなくなる。
【００１８】
また、請求項５に記載の発明は、第１の設置場所（２）に設置される第１の通信モジュール（４）および第２の設置場所（５）に設置される第２の通信モジュール（７）を介して、前記第２の設置場所（５）に設置される他の視聴機（６）と通信する視聴機であって、あるチャンネルのテレビ放送を受信および表示しているとき、ユーザから所定の第１の操作を受けたことに基づいて、録画開始を要求する第１の開始要求データおよび前記チャンネルを示す第１のチャンネルデータを、前記第１の通信モジュール（４）および前記第２の通信モジュール（７）を介して前記他の視聴機（６）に送信することで、前記他の視聴機（６）に前記第１のチャンネルデータが示すチャンネルのテレビ放送の録画を開始させると共に、前記他の視聴機（６）が録画を開始したことを示す第１の開始報告データを、前記第２の通信モジュール（７）および前記第１の通信モジュール（４）を介して前記他の視聴機（６）から受信したことに基づいて、テレビ放送の表示を終了することを特徴とする視聴機である。このように、請求項１に記載のリレー視聴システム中の第１の視聴機（３）としても、本発明の特徴を捉えることができる。
【００１９】
また、請求項６に記載の発明は、第１の設置場所（２）に設置される第１の通信モジュール（４）および第２の設置場所（５）に設置される第２の通信モジュール（７）を介して、前記第１の設置場所（２）に設置される他の視聴機（３）と通信する視聴機であって、前記他の視聴機（３）から録画開始を要求する第１の開始要求データおよび前記他の視聴機（３）が表示しているテレビ放送のチャンネルを示す第１のチャンネルデータを受信したことに基づいて、前記第１のチャンネルデータが示すチャンネルのテレビ放送の録画を開始し、さらに、ユーザから所定の第２の操作を受けたことに基づいて、前記チャンネルのテレビ放送の録画データを、録画開始位置から再生および表示し始め、更に、前記チャンネルのテレビ放送の録画の再生中、ユーザから所定の第３の操作を受けたことに基づいて、録画開始を要求する第２の開始要求データおよび前記チャンネルを示す第２のチャンネルデータを、前記第２の通信モジュール（７）および前記第１の通信モジュール（４）を介して前記他の視聴機（３）に送信することで、前記他の視聴機（３）に前記第２のチャンネルデータが示す前記チャンネルのテレビ放送の録画を開始させると共に、前記他の視聴機（３）における前記チャンネルのテレビ放送の録画開始時刻を特定し、特定した前記録画開始時刻に対する前記録画データ中の再生位置の放送時刻の遅れ時間である残り再生時間がなくなるまで、前記チャンネルのテレビ放送の録画データの再生および表示を続け、遅れがなくなると、前記録画データの表示を終了することを特徴とする視聴機である。このように、請求項２に記載のリレー視聴システム中の第２の視聴機（６）としても、本発明の特徴を捉えることができる。
【００２０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００２１】
【図１】本発明の一実施形態に係るリレー視聴システム１の構成図である。
【図２】家屋用視聴機３の構成図である。
【図３】車載用視聴機６の構成図である。
【図４】リレー視聴システム１の作動の一例を示すシーケンス図である。
【図５】家屋用視聴機の制御部が実行する処理のフローチャートである。
【図６】車載用視聴機の制御部が実行する処理のフローチャートである。
【図７】車載用視聴機の制御部が実行する処理のフローチャートである。
【図８】家屋用視聴機の制御部が実行する処理のフローチャートである。
【図９】移動によるタイムギャップがあっても視聴できないシーンがないことを示すタイミング図である。
【図１０】残り再生時間Ｔｒの計算方法を示す図である。
【発明を実施するための形態】
【００２２】
以下、本発明の実施形態について説明する。図１に示すように、本実施形態に係るリレー視聴システム１は、家屋２内（第１の設置場所の一例に相当する）に設置された家屋用視聴機３（第１の視聴機の一例に相当する）および家屋用通信モジュール４（第１の通信モジュールの一例に相当する）、を備え、更に、家屋２から離れた車両５（第２の設置場所の一例に相当する）に設置される車載用視聴機６（第２の視聴機の一例に相当する）および車両用通信モジュール７（第２の通信モジュールの一例に相当する）と、を備えている。車両５は、家屋２の居住者等（以下、ユーザという）が使用する車両である。
【００２３】
本実施形態では、ユーザが家屋用視聴機３でテレビ放送を見ている途中、何らかの理由で家屋２から車両５に移動しなければならなくなったとき、家屋用視聴機３は、録画開始を要求する第１の開始要求データおよび当該視聴中のチャンネルを示す第１のチャンネルデータを、家屋用通信モジュール４および車両用通信モジュール７を介して車載用視聴機６に送信する。すると車載用視聴機６は、家屋用視聴機３から第１の開始要求データおよび第１のチャンネルデータを受信したことに基づいて、第１のチャンネルデータが示すチャンネルのテレビ放送の録画を開始し、さらに、ユーザが車両５に入って所定のオン操作（第２の操作の一例に相当する）を行った受けたことに基づいて、当該チャンネルのテレビ放送の録画データを、録画開始位置から再生および表示し始める。
【００２４】
また、ユーザが車載用視聴機６でテレビ放送を見ている途中、車両５から家屋２に戻らなければならなくなったとき、車載用視聴機６は、録画開始を要求する第２の開始要求データおよび表示中のチャンネルを示す第２のチャンネルデータを、車両用通信モジュール７および家屋用通信モジュール４を介して車載用視聴機６に送信する。すると家屋用視聴機３は、車載用視聴機６から第２の開始要求データおよび第２のチャンネルデータを受信したことに基づいて、第２のチャンネルデータが示すチャンネルのテレビ放送の録画を開始し、さらに、ユーザから所定のオン操作（第４の操作の一例に相当する）を受けたことに基づいて、当該チャンネルのテレビ放送の録画データを、録画開始位置から再生および表示し始める。
【００２５】
このような作動を実現するためのリレー視聴システム１の構成について、図２および図３を参照して説明する。まず、家屋用視聴機３の構成について説明する。図２に示すように、家屋用視聴機３は、映像表示装置３１、ＴＶ受信モジュール３２、録画モジュール３３、コントロールモジュール３４、および制御部３５を備えている。
【００２６】
映像表示装置３１は、図示しないデコーダ、画像表示部（例えば、液晶パネル、ＥＬパネル、プラズマディスプレイパネル、ブラウン管）、および音声出力部を備え、ＴＶ受信モジュール３２または録画モジュール３３から表示用の動画データ（例えばＭＰＥＧ２−ＴＳデータ）を受けると、このデコーダで当該動画データを描画用データおよび音声データにデコード（再生に相当する）し、この描画データの表す動画を画像表示部に表示させ、この音声データの表す音声を音声出力部に出力させる。なお、映像表示装置３１は、ＴＶ受信モジュール３２および録画モジュール３３の両方から動画データを受けた場合、録画モジュール３３からの動画データを優先してデコード、画像表示、音声出力を行うようになっている。
【００２７】
ＴＶ受信モジュール３２は、テレビ放送受信用のアンテナが受けた電波のうち、制御部３５から指定されたチャンネルの信号を選択して受信し、受信した信号に含まれるテレビ放送の動画データを抽出し、抽出した動画データを映像表示装置３１および録画モジュール３３に出力するようになっている。
【００２８】
録画モジュール３３は、ハードディスクドライブ等の書き込み可能な不揮発性の記憶媒体（以下、録画用記憶媒体という）を備え、制御部３５から録画開始指令を受けると、ＴＶ受信モジュール３２から受けている動画データを録画用記憶媒体に記録し始め、制御部３５から録画終了指令を受けると、ＴＶ受信モジュール３２から受けている動画データを録画用記憶媒体に記録することをやめる。
【００２９】
また録画モジュール３３は、制御部３５から再生開始指令を受けると、この再生開始指令に含まれている再生開始位置情報が示す再生開始位置から、録画用記憶媒体中の動画データを読み出し始め、読み出した動画データを映像表示装置３１に順次出力し始める。また録画モジュール３３は、制御部３５から再生終了指令を受けると、動画データの読み出しおよび映像表示装置３１への出力を終了する。
【００３０】
コントロールモジュール３４は、ユーザの操作を受け付ける操作部であり、例えば電源オン／オフボタン、視聴対象のチャンネルの指定操作を受け付けるためのチャンネル指定ボタン、録画開始ボタン、再生開始ボタン、停止ボタン、再生スキップボタン等を有している。
【００３１】
制御部３５は、図示しないＣＰＵ、ＲＡＭ、ＲＯＭ、フラッシュメモリ等を備えたマイクロコンピュータである。ＣＰＵがＲＯＭに記録されたプログラムを実行することで、制御部３５の各種処理が実現する。
【００３２】
例えば、コントロールモジュール３４のチャンネル指定ボタンに対してユーザが視聴対象のチャンネルの指定操作を行った場合、制御部３５は、当該チャンネルをＴＶ受信モジュール３２に対して指定する。これにより、映像表示装置３１は、ユーザが指定したチャンネルのテレビ放送を表示することができる。
【００３３】
また例えば、ユーザがコントロールモジュール３４の録画開始ボタンを押下した場合、制御部３５は、録画開始指令を録画モジュール３３に出力する。これにより、録画モジュール３３は、現在ＴＶ受信モジュール３２が受信中のチャンネルの動画データを記録し始める。そして、録画中にユーザがコントロールモジュール３４の停止ボタンを押下した場合、制御部３５は、録画終了指令を録画モジュール３３に出力する。これにより、録画モジュール３３は、現在受信中のチャンネルの動画データの記録を終了する。以下、記録された動画データおよび記録されている途中の動画データを、録画データともいう。
【００３４】
また例えば、ユーザがコントロールモジュール３４の再生開始ボタンを押下した場合、制御部３５は、再生開始指令を録画モジュール３３に送信する。そして、再生開始指令に含める再生開始位置情報としては、録画開始時刻が最も現在に近い動画データの録画開始位置（すなわち先頭位置）を示す情報としてもよいし、コントロールモジュール３４に対して再生位置を指定する操作があった場合は、その指定された再生位置を示す情報としてもよい。これにより、録画モジュール３３は、再生開始指令に含まれている再生開始位置情報が示す再生開始位置から、動画データを読み出して映像表示装置３１に順次出力し始め、映像表示装置３１は、その動画データを再生して表示し始める。そして、再生中にユーザがコントロールモジュール３４の停止ボタンを押下した場合、制御部３５は、再生終了指令を録画モジュール３３に出力する。これにより、録画モジュール３３は、動画データの出力を終了する。
【００３５】
そして、再生中にユーザがコントロールモジュール３４のスキップボタンを押下すると、制御部３５は、あらかじめ定められたスキップ時間（例えば１５秒）だけ動画の再生位置の時刻を進めるスキップ指令を、録画モジュール３３に出力する。すると録画モジュール３３は、映像表示装置３１に出力している動画データの再生位置を、当該スキップ時間だけ進める。例えば、録画モジュール３３は、現時点で動画データのうち再生開始位置からＮ秒後のデータを出力している場合は、スキップ指令を受けると、再生開始位置からＮ＋α秒後（ただしα秒はスキップ時間）以降のデータを出力し始める。
【００３６】
また、制御部３５は、家屋用通信モジュール４を用いて車両５側と無線通信を行うことができる。家屋用通信モジュール４は、無線ＬＡＮ、Ｂｌｕｅｔｏｏｔｈ（登録商標）等の通信を行うために信号に符号化、復号、変調、復調、増幅等を行う周知の通信モジュールである。また、制御部３５は、後述するリレー録画対応処理を実行するようになっている。
【００３７】
なお、制御部３５のフラッシュメモリには、送信先の通信機器ＩＤ（通信機器の識別番号）の記録が可能なようになっている。送信先の通信機器ＩＤは、ユーザがコントロールモジュール３４を用いてフラッシュメモリに記録できる。送信先の通信機器ＩＤとしては、車両用通信モジュール７のＩＤ、車載用視聴機６のＩＤ等がある。
【００３８】
次に、車載用視聴機６の構成について説明する。図２に示すように、車載用視聴機６は、映像表示装置６１、ＴＶ受信モジュール６２、録画モジュール６３、コントロールモジュール６４、および制御部６５を備えている。これら機器６１〜６４は、家屋用視聴機３の機器３１〜３４と同等の機能を有している。また、制御部６５は、家屋用視聴機３の制御部３５と同等の構成を有しており、作動内容についても後述する一部を除いて同等である。
【００３９】
車両用通信モジュール７は、家屋用通信モジュール４と同等の機能を有する通信モジュールである。制御部６５は、この車両用通信モジュール７を用いることで、家屋用通信モジュール４を介して家屋用視聴機３と通信することができる。また制御部３５は、家屋用通信モジュール４を用いることで、車両用通信モジュール７を介して車載用視聴機６と通信することができる。
【００４０】
次に、以上のような構成のリレー視聴システム１の作動について、図４〜図８を用いて詳細に説明する。図４は、家屋２側と車両５側におけるユーザの行動と視聴機の作動例を時系列に並べたシーケンス図である。また、図５および図８は、家屋用視聴機３の制御部３５が実行する処理のフローチャートであり、図６および図７は、車載用視聴機６の制御部６５が実行する処理のフローチャートである。
【００４１】
図４の作動例は、ユーザ（１人でも複数人でもよい）はまず家屋２内におり、車載用視聴機６で特定の或るチャンネルのテレビ放送を観ている状態から始まる。この際、家屋用視聴機３のＴＶ受信モジュール３２は、当該チャンネルの信号を受信して動画データを抽出し、この動画データを映像表示装置３１に出力している。また、録画モジュール３３は、映像表示装置３１に動画データを出力していない。したがって、ユーザは、映像表示装置３１を介してこのチャンネルの放送を観ることができる。この際、家屋用視聴機３の制御部３５は、図５に示す処理を実行しており、ステップ１１０で、コントロールモジュール３４に対するオフ操作（具体的には、電源オン時における電源オン／オフボタンの押下）があるまで待機している。コントロールモジュール３４に対するこのオフ操作が、所定の第１の操作の一例に相当する。
【００４２】
当該テレビ放送の視聴中、ユーザが家屋２を離れて家屋２外の駐車場にとめられた車両５に移動しなければならなくなったとする。このとき、ユーザは、そのテレビ放送を引き続き観たければ、このままコントロールモジュール３４の録画開始ボタンを押して録画モジュール３３に当該テレビ放送の動画データを記録させればよい。このようにすれば、家屋２に戻った後で、テレビの再生開始ボタンを押して続きを観ることができる。
【００４３】
しかし、テレビ放送には、サッカー生中継、野球生中継等の放送のように、録画しておいて数時間後に観るほどではないが、今はどうしても続きが気になるという放送がある。このようなテレビ放送を観ている場合、上記のように録画開始ボタンを押すのではなく、ユーザの一人が、上記のオフ操作１１（図４参照）を行う。
【００４４】
すると制御部３５は、ステップ１１０でオフ操作があったと判定し、続いてステップ１２０に進む。ステップ１２０では、送信先の通信機器のＩＤが記録されているか否かを判定する。記録されていなければ、続いてステップ１２５で、家屋用視聴機３への主電源の供給をオフすることで、テレビ放送の受信および表示を停止する。本例では、あらかじめ車両用通信モジュール７のＩＤ（または車載用視聴機６のＩＤ。以下同じ。）が記録されているものとする。
【００４５】
したがって処理はステップ１３０に進み、ＴＶ受信モジュール３２が現在表示しているテレビ放送のチャンネルを特定する。そして続いてステップ１４０で、家屋用通信モジュール４を用いて、第１の開始要求データと第１のチャンネルデータの組１２（図４参照）を、上述の送信先の通信機器ＩＤを宛先として、送信する。
【００４６】
第１の開始要求データの内容は、第１の開始要求データ用にあらかじめ定められた所定の値のデータ列である。第１のチャンネルデータは、ステップ１３０で特定したチャンネルを示すデータである。
【００４７】
このデータの組１２は、ステップ１４０における制御部３５の処理により、家屋用通信モジュール４および車両用通信モジュール７を介し、車載用視聴機６に送信される。続いて制御部３５は、ステップ１５０で、家屋用通信モジュール４を介して家屋用視聴機３から第１の開始報告データを受信するまで待機する。なお、ステップ１２０〜１５０の実行中も、家屋用視聴機３において上記チャンネルのテレビ放送の表示は継続している。この第１の開始報告データの受信待ちの間、ユーザは、家屋２を離れずに、家屋用視聴機３でテレビ放送を見続ける。
【００４８】
一方、車両５側では、車載用視聴機６は待機モードとなっている。待機モードは、停止またはスリープの状態にあるモードである。また、車両用通信モジュール７は作動中となっている。
【００４９】
このとき、車両用通信モジュール７が自機宛（または車載用視聴機６宛）の信号を受信すると、制御部６５にウェイクアップ信号を出力する。すると、制御部６５が起動し、制御部６５が車載用視聴機６の他の部分６２〜６４も起動させる。ただし、映像表示装置６１はまだ作動させなくてもよい。起動後の制御部６５は、まず図６のステップ２１０で、車両用通信モジュール７が受信したデータに第１開始要求データが含まれているか否かを判定し、含まれていれば、続いてステップ２２０に進み、含まれていなければ、続いてステップ２１５で再度待機モードに入る。
【００５０】
本例では、受信したデータ１２に家屋用視聴機３からの第１の開始要求データが含まれているので、続いてステップ２２０に進み、当該第１の開始要求データと共に受信した第１のチャンネルデータを読み出し、その第１のチャンネルデータが示すチャンネルのテレビ放送の録画を開始する。具体的には、当該チャンネルを指定する信号をＴＶ受信モジュール６２に出力し、また、録画開始指令を録画モジュール６３に出力する。これにより、録画モジュール６３が、当該チャンネルのテレビ放送の録画（すなわち当該テレビ放送の動画データの記録）を開始する。
【００５１】
なお、制御部６５がウェイクアップ信号によって起動してからステップ２２０で録画が始まるまでの時間は、車載用視聴機６の性能によって異なり、１秒未満の場合もあれば、１分以上かかる場合もある。
【００５２】
続いてステップ２２５では、録画を開始したことを示す第１の開始報告データ１３を、車両用通信モジュール７を用いて家屋用視聴機３（すなわち、第１の開始要求データの送信元）に返送する。第１の開始報告データ１３の内容は、第１の開始報告データ１３用にあらかじめ定められた所定の値のデータ列である。この処理によって、第１の開始報告データ１３は、車両用通信モジュール７および家屋用通信モジュール４を介し、家屋用視聴機３に送信される。
【００５３】
続いてステップ２３０では、所定のオン操作（具体的には、再生開始ボタンの押下）があるまで待機する。コントロールモジュール６４に対するこのオン操作が、所定の第２の操作の一例に相当する。なお、この待機中も、録画モジュール６３による録画は継続している。
【００５４】
一方、第１の開始報告データ１３を車載用視聴機６から受信した家屋用視聴機３では、制御部３５が、ステップ１５０で、第１の開始報告データを受信したと判定し、処理をステップ１６０に進め、家屋用視聴機３の各部３１〜３９を待機モードに移行させる。待機モードは、停止またはスリープの状態にあるモードである。したがって、家屋用視聴機３において、ＴＶ受信モジュール３２は、当該チャンネルのテレビ放送の受信を終了し、映像表示装置３１は、当該チャンネルのテレビ放送の表示を終了する。なお、家屋用視聴機３が待機モードに入っても、家屋用通信モジュール４は通常通り作動し続ける。
【００５５】
このように、家屋用視聴機３が当該チャンネルのテレビ放送の受信および表示を終了すると、ユーザは、家屋２を離れて車両５に向かう。ユーザが家屋２から車両５へ移動している間、家屋用視聴機３は待機モードにあり、車載用視聴機６は録画中である。
【００５６】
ユーザが車両５に到着すると、テレビ放送の続きを観るために、上述のオン操作１４（図４参照）を行う。すると、車載用視聴機６の制御部６５は、ステップ２３０でオン操作があったと判定し、ステップ２４０に進む。
【００５７】
そしてステップ２４０では、当該チャンネルのテレビ放送を継続視聴するか否かのメッセージ（文字または音声）を映像表示装置６１に表示させ、コントロールモジュール６４に対するユーザの返答操作を待つ。コントロールモジュール６４に対して返答操作があった場合、続いてステップ２５０に進み、その返答が視聴を継続しない旨のものならば続いてステップ２５５を実行し、視聴を継続する旨のものならば続いてステップ２６０を実行する。
【００５８】
ステップ２５５では、録画モジュール６３に録画停止指令を出力することで、録画を停止させる。この後は、通常の処理を行う。すなわち、ユーザのコントロールモジュール６４の操作に応じて、チャンネル変更、録画開始および終了、並びに再生開始および終了の処理を行う。
【００５９】
ステップ２６０では、映像表示装置６１を起動させ、現在録画中の動画データ（すなわち、当該チャンネルのテレビ放送の録画データ）を録画開始位置から再生および表示し始めるよう、録画モジュール６３を制御する。具体的には、録画モジュール６３に対し、再生開始指令を出力し、その再生開始指令に含める再生開始位置情報としては、当該動画データの録画開始位置（すなわち先頭位置）を示す情報とする。これにより、録画モジュール６３は、当該チャンネルの動画データの録画開始位置から、当該動画データを読み出して映像表示装置６１に順次出力始め、映像表示装置６１は、その動画データを再生して表示し始める。
【００６０】
このようになっていることで、ユーザが家屋用視聴機３でテレビ放送を見ている途中、何らかの理由で家屋２から車両５に移動しなければならなくなったとき、ユーザは、家屋用視聴機３に対してオフ操作（第１の操作）を行えば、第１の開始要求データおよび視聴中のチャンネルを示す第１のチャンネルデータが車載用視聴機６に送信され、それらを受信した車載用視聴機６は、第１のチャンネルデータの示すチャンネルのテレビ放送の録画を開始する。つまり、車両５に入る前から、車載用視聴機６で同じチャンネルのテレビ放送の録画が始まる。
【００６１】
そして、ユーザが家屋２から車両５に移動した後、車載用視聴機６に対してオン操作（第２の操作）を行えば、車載用視聴機６は、当該チャンネルのテレビ放送の録画データを、録画開始位置から再生および表示し始める。したがって、ユーザは、車載用視聴機６で、車両５に入る前から放送されていた内容も視聴することができる。
【００６２】
したがって、ユーザが家屋２から車両５まで移動してテレビ放送を続けて見る場合でも、移動のタイムギャップによって視聴できなくなってしまうシーンの長さが低減される。
【００６３】
のみならず、家屋用視聴機３は、車載用視聴機６から第１の開始報告データを受けるまで当該チャンネルの受信および表示を続け、第１の開始報告受けた後に受信および表示を終了する。したがって、ユーザは、家屋用視聴機３に対してオフ操作（第１の操作）を行った後、家屋用視聴機３によるテレビ放送の表示が終わる時点まで待っていれば、その後車両５では、当該表示終了時点の直前のタイミングの放送から視聴できるので、移動のタイムギャップによって視聴できなくなってしまうシーンが完全になくなる。
【００６４】
つまり、図９に示すように、家屋用視聴機３における視聴期間２１の終了タイミングｔ１から、車載用視聴機６における視聴期間２３の開始タイミングｔ２までの間に隔たり（タイムギャップ）があっても、第１の開始報告データを受けるまで家屋用視聴機３における視聴を継続するので、車載用視聴機６における録画開始タイミングｔ０が、家屋用視聴機３における視聴期間２１の終了タイミングｔ１と同時かあるいは終了タイミングｔ１よりも前になるので、移動のタイムギャップによって視聴できなくなってしまうシーンが完全になくなる。
【００６５】
なお、ステップ２６０で再生および表示を開始した後、制御部６５は、図６の処理とは別に、制御部３５について説明したのと同様、コントロールモジュール６４の再生スキップボタンが押下される度に、あらかじめ定められたスキップ時間（例えば１５秒）だけ動画の再生位置を時間的に進めるスキップ指令を、録画モジュール６３に出力する。すると録画モジュール６３は、映像表示装置６１に出力している動画データの再生位置を、当該スキップ時間だけ進める。
【００６６】
図６の処理においては、ステップ２６０に続いてステップ２７０で、録画中の動画データのうち、現在再生中の位置の現在記録中の位置に対する遅れ時間（すなわち、再生遅れ時間）を算出する。この再生遅れ時間は、上述のスキップボタンが押下されなければ変化しないが、上述のスキップボタンが押下される度に、スキップ時間だけ短くなる。
【００６７】
再生遅れ時間Ｔｄの具体的な計算方法は、当該動画データの記録開始時刻Ｔｒ（ステップ２２０の実行時刻）と、当該動画データの再生開始タイミングＴｐ（ステップ２６０の実行時刻）と、スキップボタンの押下回数Ｎと、スキップ時間αに基づいて、Ｔｄ＝Ｔｐ―Ｔｒ−α×Ｎという式を用いて算出することができる。
【００６８】
続いてステップ２７５では、コントロールモジュール６４に対するオフ操作（具体的には、電源オン時における電源オン／オフボタンの押下）が行われたか否かを判定し、行われていなければ、ステップ２８０を実行し、行われていれば図７のステップ３１０に進む。このオフ操作は、第３の操作の一例に相当する。
【００６９】
ステップ２８０では、ステップ２７０で算出した遅れ時間がなくなったか否かを判定し、なくなっていなければ再度ステップ２７０を実行し、無くなっていればステップ２９０に進む。遅れ時間がなくなるということは、再生が録画に追いついたということである。
【００７０】
再生が録画に追いついた場合に実行するステップ２９０では、録画モジュール６３に録画終了指令を出力することで録画を停止させる。これにより、映像表示装置６１は、ＴＶ受信モジュール６２から映像表示装置６１に出力される動画データ、すなわち、当該チャンネルのテレビ放送の動画データを、放送とほぼ同時に再生および表示するようになる。
【００７１】
このように、再生が録画に追いついた場合は、録画を中止することで、録画モジュール６３の記憶媒体の使用容量を節約することができる。またこの際、それまで録画していた当該チャンネルのテレビ放送の動画データも削除するようになっていれば、録画モジュール６３の記憶媒体の使用容量を更に節約することができる。あるいは、動画データのうち、再生された部分は、逐次、再生したらすぐに記憶媒体から削除するようになっていれば、録画モジュール６３の記憶媒体の使用容量を更に節約することができる。
【００７２】
ステップ２９０に続いてステップ２９５では、コントロールモジュール６４に対するオフ操作（第３の操作の一例に相当する）が行われるまで待ち、行われると、続いて図７のステップ３１０に進む。
【００７３】
図４の例では、遅れ時間がなくならないまま時間が経過し、ユーザが車両５を元の駐車場に戻し、家屋２に戻る前に、コントロールモジュール６４に対してオフ操作１５を行うようになっている。この場合、制御部６５は、オフ操作１５があるまでステップ２７０、２７５、２８０を繰り返し、オフ操作１５があると、ステップ２７５から図７のステップ３１０に進む。
【００７４】
オフ操作があった場合に実行されるステップ３１０では、制御部６５は、映像表示装置６１が現在表示しているチャンネルを特定し、さらにステップ３２０では、車両用通信モジュール７を用いて、第２の開始要求データと第２のチャンネルデータの組１６（図４参照）を、家屋用視聴機３を宛先として、送信する。
【００７５】
第２の開始要求データの内容は、第２の開始要求データ用にあらかじめ定められた所定の値のデータ列であり、例えば、第１の開始要求データの内容と同じであってもよい。第２のチャンネルデータは、ステップ３１０で特定したチャンネルを示すデータである。このチャンネルは、図４の例においては、家屋用視聴機３での視聴時および車載用視聴機６の乗車時におけるチャンネルと同じである。
【００７６】
このデータの組１６は、ステップ３２０における制御部６５の処理により、車両用通信モジュール７および家屋用通信モジュール４を介し、家屋用視聴機３に送信される。
【００７７】
続いてステップ３３０では、現在録画データ（すなわち、録画モジュール６３に記録した動画データ）を再生中であるか否かを判定する。つまり、再生が録画に追いついていないかいるかを判定する。録画データを再生していない場合、つまり、再生が録画に追いついている場合は、続いてステップ３５５で、第２の開始報告データを家屋用視聴機３から受信するまで待機する。
【００７８】
図４の例では、録画データを再生中である、つまり、再生が録画に追いついていない。この場合は、続いてステップ３４０で、警告メッセージ（文字または音声）を映像表示装置６１に表示させる。警告メッセージは、いま車両５を離れて家屋２に向かうと、現在視聴中のテレビ放送の一部を見逃す可能性があることを通知する。
【００７９】
続いてステップ３５０では、家屋用視聴機３における録画開始時刻に対する車載用視聴機６の録画データ中の再生位置の放送時刻の遅れ時間（すなわち、残り再生時間）を特定し、特定した遅れを映像表示装置６１に表示させる繰り返し処理を開始する。
【００８０】
この残り再生時間Ｔｒの算出方法は、ステップ２７０と同じ方法で現時点の再生遅れ時間Ｔｄを算出し、また、家屋用視聴機３における録画開始時刻Ｔｈを推定し、これら再生遅れ時間Ｔｄ、録画開始時刻Ｔｈ、および現在時刻Ｔｃを用いて、Ｔｒ＝Ｔｄ−（Ｔｃ−Ｔｈ）という式で算出することができる。ここで、家屋用視聴機３における録画開始時刻Ｔｈは、ステップ３２０において送信した第２の開始要求データに起因して家屋用視聴機３で始まる録画の開始時刻であるので、家屋用視聴機３から後述する第２の開始報告データを受信するまでは、この録画開始時刻Ｔｈは、第２の開始要求データの送信時刻と同じであると推定し、家屋用視聴機３から第２の開始報告データを受信した後は、この開始報告データの受信時刻と同じであると推定する。
【００８１】
この残り再生時間Ｔｒは、録画開始時刻Ｔｈに変化がなければ時間の経過と共に減少するので、それに応じて映像表示装置６１における表示内容も変化する。
【００８２】
続いてステップ３６０では、ステップ３４０の警告メッセージに対するユーザの応答操作を待ち、応答操作がコントロールモジュール６４に対して行われると、その応答操作が視聴を継続する旨を示していれば、続いてステップ３６５に進み、その応答操作が視聴を継続しない旨を示していれば、続いてステップ３８０に進む。
【００８３】
ステップ３８０では、車載用視聴機６の各部６１〜６９を待機モードに移行させる。待機モードは、停止またはスリープの状態にあるモードである。したがって、車載用視聴機６において、ＴＶ受信モジュール６２は、当該チャンネルのテレビ放送の受信を終了し、映像表示装置６１は、当該チャンネルのテレビ放送の表示を終了する。なお、車載用視聴機６が待機モードに入っても、車両用通信モジュール７は通常通り作動し続ける。
【００８４】
ステップ３６５では、家屋用視聴機３から第２の開始報告データを受信するまで待つ。一方、家屋２側では、家屋用視聴機３は、家屋用通信モジュール４が信号を受信するまでは、待機モードとなっている。このとき、家屋用通信モジュール４が自機宛の信号を受信すると、制御部３５にウェイクアップ信号を出力する。すると、制御部３５が起動し、制御部３５が家屋用視聴機３の他の部分３２〜３４も起動させる。ただし、映像表示装置３１はまだ作動させなくてもよい。起動後の制御部３５は、まず図８のステップ４１０で、車両用通信モジュール７が受信したデータに第２開始要求データが含まれているか否かを判定し、含まれていれば、続いてステップ４２０に進み、含まれていなければ、続いてステップ４１５で再度待機モードに入る。
【００８５】
本例では、受信したデータ１６（図４参照）に車載用視聴機６からの第２の開始要求データが含まれているので、続いてステップ４２０に進み、当該第２の開始要求データと共に受信した第２のチャンネルデータを読み出し、その第２のチャンネルデータが示すチャンネルのテレビ放送の録画を開始する。具体的には、当該チャンネルを指定する信号をＴＶ受信モジュール３２に出力し、また、録画開始指令を録画モジュール３３に出力する。これにより、録画モジュール３３が、当該チャンネルのテレビ放送の録画（すなわち当該テレビ放送の動画データの記録）を開始する。
【００８６】
なお、制御部３５がウェイクアップ信号によって起動してからステップ４２０で録画が始まるまでの時間は、家屋用視聴機３の性能によって異なり、１秒未満の場合もあれば、１分以上かかる場合もある。
【００８７】
続いてステップ４２５では、録画を開始したことを示す第２の開始報告データ１７（図４参照）を、家屋用通信モジュール４を用いて車載用視聴機６（すなわち、第２の開始要求データの送信元）に返送する。第２の開始報告データ１７の内容は、第２の開始報告データ１７用にあらかじめ定められた所定の値のデータ列であり、例えば、第１の開始報告データ１３の内容と同じであってもよい。この処理によって、第２の開始報告データ１７は、家屋用通信モジュール４および車両用通信モジュール７を介し、車載用視聴機６に送信される。
【００８８】
続いてステップ４３０では、所定のオン操作（具体的には、再生開始ボタンの押下）があるまで待機する。コントロールモジュール３４に対するこのオン操作が、所定の第４の操作の一例に相当する。なお、この待機中も、録画モジュール３３による録画は継続している。
【００８９】
一方、第２の開始報告データ１７を家屋用視聴機３から受信した車載用視聴機６では、制御部６５が、ステップ３６５で待機している場合は、第２の開始報告データを受信したと判定し、処理をステップ３７０に進め、残り再生時間Ｔｒ（ステップ３５０参照）がゼロになるまで待ち、ゼロになると、ステップ３８０に進む。また、ステップ３３５で待機している場合は、第２の開始報告データを受信したと判定し、処理をステップ３８０に進める。ステップ３８０では、既に説明した通り、待機モードに入ることで、当該チャンネルのテレビ放送の再生および表示を終了する。
【００９０】
このように、残り再生時間Ｔｒがゼロになるまで、当該チャンネルのテレビ放送の再生および表示を終了しないことで、車載用視聴機６における再生位置が実際のテレビ放送よりも時間的に遅れていたとしても、ユーザは、車載用視聴機６における録画データの表示が終了する時点まで待っていれば、その時点以降の当該チャンネルのテレビ放送は、家屋用視聴機３で録画されていることになる。したがって、移動のタイムギャップによって視聴できなくなってしまうシーンがなくなる。
【００９１】
このように、車載用視聴機６が当該チャンネルのテレビ放送の再生および表示を終了すると、ユーザは、車両５を離れて家屋２に向かう。ユーザが車両５から家屋２へ移動している間、車載用視聴機６は待機モードにあり、家屋用視聴機３は録画中である。
【００９２】
ユーザが家屋２に到着すると、テレビ放送の続きを観るために、上述のオン操作１８（図４参照）を行う。すると、家屋用視聴機３の制御部３５は、ステップ４３０でオン操作があったと判定し、ステップ４４０に進む。
【００９３】
そしてステップ４４０では、当該チャンネルのテレビ放送を継続視聴するか否かのメッセージ（文字または音声）を映像表示装置３１に表示させ、コントロールモジュール３４に対するユーザの返答操作を待つ。コントロールモジュール３４に対して返答操作があった場合、続いてステップ４５０に進み、その返答が視聴を継続しない旨のものならば続いてステップ４５５を実行し、視聴を継続する旨のものならば続いてステップ４６０を実行する。
【００９４】
ステップ４５５では、録画モジュール３３に録画停止指令を出力することで、録画を停止させる。この後は、通常の処理を行う。すなわち、ユーザのコントロールモジュール３４の操作に応じて、チャンネル変更、録画開始および終了、並びに再生開始および終了の処理を行う。
【００９５】
ステップ４６０では、映像表示装置３１を起動させ、現在録画中の動画データを録画開始位置から再生および表示し始めるよう、録画モジュール３３を制御する。具体的には、録画モジュール３３に対し、再生開始指令を出力し、その再生開始指令に含める再生開始位置情報としては、当該動画データの録画開始位置（すなわち先頭位置）を示す情報とする。これにより、録画モジュール３３は、当該チャンネルの動画データの録画開始位置から、当該動画データを読み出して映像表示装置３１に順次出力始め、映像表示装置３１は、その動画データを再生して表示し始める。
【００９６】
このようになっていることで、ユーザが車載用視聴機６でテレビ放送を見ている途中、車両５から家屋２に戻らなければならなくなったとき、ユーザは、車載用視聴機６に対してオフ操作（第３の操作）を行えば、第２の開始要求データおよび視聴中のチャンネルを示す第２のチャンネルデータが車載用視聴機３に送信され、それらを受信した家屋用視聴機３は、第２のチャンネルデータの示すチャンネルのテレビ放送の録画を開始する。つまり、家屋２に入る前から、家屋用視聴機３で同じチャンネルのテレビ放送の録画が始まる。
【００９７】
そして、ユーザが車両５から家屋２に移動した後、家屋用視聴機３に対してオン操作（第４の操作）を行えば、家屋用視聴機３は、当該チャンネルのテレビ放送の録画データを、録画開始位置から再生および表示し始める。したがって、ユーザは、家屋用視聴機３で、家屋２に入る前から放送されていた内容も視聴することができる。
【００９８】
したがって、ユーザが家屋２から車両５まで移動してテレビ放送を続けて見る場合でも、移動のタイムギャップによって視聴できなくなってしまうシーンの長さが低減される。
【００９９】
のみならず、車載用視聴機６は、家屋用視聴機３から第２の開始報告データを受けるまで当該チャンネルの受信および表示を続け、第２の開始報告受けた後に受信および表示を終了する。したがって、ユーザは、車載用視聴機６に対してオフ操作（第３の操作）を行った後、車載用視聴機６によるテレビ放送の表示が終わる時点まで待っていれば、その後車家屋２では、当該表示終了時点または当該表示終了時点の直前のタイミングの放送から視聴できるので、移動のタイムギャップによって視聴できなくなってしまうシーンが完全になくなる。
【０１００】
なお、ステップ４７０、４８０、４９０の処理内容は、それぞれ、図６のステップ２７０、２８０、２９０の処理と同等である。つまり、遅れ時間Ｔｄを算出し、算出した遅れ時間Ｔｓがなくなるまでステップステップ４７０、４８０の処理を繰り返し、遅れ時間Ｔｓがなくなった（ゼロになった）場合、ステップ４９０で、録画モジュール３３に録画終了指令を出力することで録画を停止させ、映像表示装置３１がＴＶ受信モジュール３２からの動画データを再生および表示するようにする。
【０１０１】
（他の実施形態）
以上、本発明の実施形態について説明したが、本発明の範囲は、上記実施形態のみに限定されるものではなく、本発明の各発明特定事項の機能を実現し得る種々の形態を包含するものである。
【０１０２】
例えば、上記実施形態において、第１の設置場所と第２の設置場所は、それぞれ家屋２と車両５である必要はなく、互いに離れていればどのような場所であってもよい。
【０１０３】
また、上記実施形態においては、図５のステップ１１０におけるオフ操作（第１の操作）、および図６のステップ２７５、２９５におけるオフ操作（第２の操作）は、電源オン／オフボタンの押下ではなく、コントロールモジュール３４またはコントロールモジュール６４の電源オン／オフボタン以外に設けられた、専用の視聴機専用ボタンであってもよい。その場合は、ステップ１２５では、登録無しの警告表示を行うようになっていてもよい。
【０１０４】
また、上記実施形態においては、車載用視聴機６は、録画を開始したタイミングで第１の開始報告データを家屋用視聴機３に送信し、家屋用視聴機３は、第１の開始報告データを受信したタイミングでテレビ放送の表示を終了する。また、家屋用視聴機３は、録画を開始したタイミングで第２の開始報告データを車載用視聴機６に送信し、車載用視聴機６は、第２の開始報告データを受信したタイミングでテレビ放送の表示を終了する。
【０１０５】
しかし、これら開始報告データは、必ずしも送信および受信されなくともよい。開始要求データが送信されてから録画が実際に始まるまでの期間の長さは、装置の機能によって異なる。その期間の長さが１秒未満と短ければ、ユーザはオフ操作を行ってすぐに家屋２（または車載用視聴機６）を出たとしても、シーンを見逃したと感じる可能性は非常に低い。
【０１０６】
また、開始要求データが送信されてから録画が実際に始まるまでの期間の長い場合であっても、使用経験を積めばユーザはその長さがどれくらいなのかを知ることができるので、ユーザは家屋用視聴機３（または車載用視聴機６）でオフ操作を行ってから、もう異動先の車載用視聴機６（または家屋用視聴機３）で録画が始まっただろうと思うタイミングで、家屋２（または車両５）を離れれば、シーンを見逃す可能性は非常に低い。
【０１０７】
また、上記の実施形態において、制御部３５、制御部６５がプログラムを実行することで実現している各機能は、それらの機能を有するハードウェア（例えば回路構成をプログラムすることが可能なＦＰＧＡ）を用いて実現するようになっていてもよい。
【符号の説明】
【０１０８】
１                    リレー視聴システム
２                    家屋
３                    家屋用視聴機
４                    家屋用通信モジュール
５                    車両
６                    車載用視聴機
７                    車両用通信モジュール
１１、１５            オフ操作
１２、１６            開始要求データとチャンネルデータ
１３、１７            開始報告データ
１４、１８            オン操作
【図１】
0005446968.tif 000002
【図２】
0005446968.tif 000003
【図３】
0005446968.tif 000004
【図４】
0005446968.tif 000005
【図５】
0005446968.tif 000006
【図６】
0005446968.tif 000007
【図７】
0005446968.tif 000008
【図８】
0005446968.tif 000009
【図９】
0005446968.tif 000010
【図１０】
0005446968.tif 000011